(57)【特許請求の範囲】
【請求項１】
シャワーヘッド本体に固定されるとともにシャワーホースが接続されるジョイントと、内部に湯水が流通可能であるともに、その先端側接続部には別部材が取り付けられ、その基端側接続部は前記ジョイントに対して挿嵌接続されて固定されるシャワーヘッドの内部流路部材の固定構造であって、
前記流路部材の長手方向の軸心周りにおける位置決めをなす嵌合部又は被嵌合部のいずれかが前記流路部材側に、他方が前記ジョイント側に設けられたことを特徴とするシャワーヘッドの内部流路部材の固定構造。
【請求項２】
前記内部流路部材の先端側が屈曲又は湾曲形成されたことを特徴とする請求項１に記載のシャワーヘッドの内部流路部材の固定構造。
【発明の詳細な説明】
【技術分野】
【０００１】
本発明はシャワーヘッドの内部流路部材の固定構造に関する。
【背景技術】
【０００２】
従来、シャワーヘッドの内部流路部材をシャワーヘッド本体側に固定する固定構造として、シャワーヘッド本体に固定されるとともにシャワーホースが接続されるジョイントに、内部に湯水を流通可能な内部流路部材を固定することとして、内部流路部材をジョイントを介してシャワーヘッド本体に固定する固定構造が知られている。例えば、図８及び図９を参照して説明すると、シャワーヘッド１の本体２の基端側の開口部７内に、ブッシュ１１によって本体２に嵌合されるジョイント１０が挿嵌固定されており、このジョイント１０の基端側には、図示しないシャワーホースの接続金具が接続固定される接続口１８からシャワーヘッド１側に湯水が供給される。ジョイント１０の先端側には、内部流路部材であるパイプ３０に挿嵌接続される接続口１４が突設されており、この接続口１４外周面にはパイプ３０内周面との水密を図るシール部材３３が装着されている。そして、パイプ３０の基端側接続部３２内に接続口１４が挿嵌されるようにパイプ３０を接続して、シャワーヘッド１の本体２に固定されたジョイント１０に対してパイプ３０が取付固定される（例えば、特許文献１参照。）。
【０００３】
【特許文献１】特開２００１−１２８８７２号公報（図１及び図２）
【発明の開示】
【発明が解決しようとする課題】
【０００４】
ところで、シャワーヘッド１の組み立て作業においては、このようにジョイント１０及びパイプ３０をシャワーヘッド１の本体２に固定した後、パイプ３０の先端側接続部３５に、シャワーヘッド１のヘッド部４内に収容されるインナー５０などの部材を取り付けることが多い。しかし、前述した従来の内部流路部材の固定構造では、パイプ３０の軸心回り方向の位置決めが正しくなく、よって、パイプ３０先端側接続部３５の位置がインナー５０を取り付ける際に本来位置すべき向きからずれてしまうことがある。特に図８のように、シャワーヘッド１の本体２が屈曲形成されるためにこれに合わせてパイプ３０の先端側も屈曲形成などされているような場合、パイプ３０の軸心周りの位置決めの僅かな狂いによっても、先端側接続部３５の位置が大きく首を振るようにずれてしまう。また、パイプ３０が屈曲形成などされていない場合であっても、パイプ３０に対してインナー５０などの部材を正確に取り付ける必要がある場合、パイプが正規の向きから回転してしまうことは望ましくない。さらにまた、パイプ３０の軸心回り方向の位置決めが正確な場合であっても、ジョイント１０の接続口１８に対して固定されたパイプ３０が接続口１８を支点として揺動し、パイプ３０先端側接続部３５の位置が、インナー５０を取り付ける際に本来位置すべき場所からずれてしまうことがある。
【０００５】
これらの場合、パイプ３０先端に取り付けるインナー５０などの取付作業が困難となり作業性が悪化する原因となっていた。
【０００６】
また、近年、デザイン上の要求から、シャワーヘッド１の本体２の断面が扁平に形成されたり、シャワーヘッド１の本体２の肉厚が薄くされたりしたシャワーヘッド１が用いられることがある。このため、材質によっては、シャワーヘッド１本体表面に強い力を加えると表面が撓んでしまうなど、本体表面の強度を十分に確保できず、シャワーヘッド１の品質感が低下するなどの問題が生じていた。
【０００７】
本発明は上記した従来のシャワーヘッドの内部流路部材の固定構造の問題点を解消するものであり、ジョイントに対してその基端側接続部が固定されるパイプの先端側接続部の位置決めをより正確にすることにより、パイプの先端側接続部に取り付けられる部材の取付作業の作業性を向上させることのできるシャワーヘッドの内部流路部材の固定構造を提供することを目的とする。
【課題を解決するための手段】
【０００８】
以上の課題を解決するために、本発明の採った手段を以下に説明する。本発明のシャワーヘッドの内部流路部材の固定構造は、シャワーヘッド本体に固定されるとともにシャワーホースが接続されるジョイントと、内部に湯水が流通可能であるともに、その先端側接続部には別部材が取り付けられ、その基端側接続部は前記ジョイントに対して挿嵌接続されて固定されるシャワーヘッドの内部流路部材の固定構造であって、前記流路部材の長手方向の軸心周りにおける位置決めをなす嵌合部又は被嵌合部のいずれかが前記流路部材側に、他方が前記ジョイント側に設けられたことを特徴とするシャワーヘッドの内部流路部材の固定構造（請求項１）である。
【０００９】
このような嵌合部・被嵌合部を設けることによって内部流路部材の軸心回りにおける位置ずれを防止することができる。また、嵌合部と被嵌合部が嵌合することにより、嵌合する方向においては内部流路部材の揺動を防止することもできる。よって、内部流路部材の先端側接続部に取り付ける別部材の取付作業を容易にすることができる。具体的には、例えば、内部流路部材であるパイプの先端側接続部が正規の取付の向きから回転して位置ずれを生じたり、パイプ基端側を支点として揺動することを防止できるので、先端側接続部に接続されるインナーやシャワーフェイスユニットなどの部品の接続作業を容易にすることができる。
【００１０】
「嵌合部」と「被嵌合部」とは、ジョイントに対して挿嵌接続された前記流路部材がその軸心回りにおける位置決めをなすために必要な形状であれば足り、例えば、突起や突条とこれが嵌合する凹部などを例示することができる。「内部流路部材」は前述したパイプなどの内部に湯水を流通可能な部材を指す。
【００１１】
また、前述した発明を、前記内部流路部材の先端側が屈曲又は湾曲形成されたシャワーヘッドに適用することとしても良い（請求項２）。
【００１２】
内部流路部材の先端側が屈曲形成又は湾曲形成されている場合、内部流路部材の軸心回り方向の位置決めが僅かにずれた場合でも、その先端側接続部の位置が大きく首を振るようにずれてしまうが、本発明の内部流路部材の固定構造を適用することにより、このような不具合の可能性を大きく改善することができるので好適である。
【００１３】
また、別の内部流路部材の固定構造として、シャワーヘッド本体に固定されるとともにシャワーホースが接続されるジョイントと、内部に湯水が流通可能であるともに、その先端側接続部には別部材が取り付けられ、その基端側接続部は前記ジョイントに対して挿嵌接続されて固定されるシャワーヘッドの内部流路部材の固定構造であって、前記流路部材の外周面に、シャワーヘッド本体の内周面側を支持可能な当接部が形成されたことを特徴とするシャワーヘッドの内部流路部材の固定構造とすることもできる。
【００１４】
このような当接部を形成することにより、シャワーヘッド内部から、シャワーヘッド本体の内周面を当接部により支持し、本体の強度を向上させることができ、本体表面の撓みなどを防止することができる。前述したように、特に、扁平な断面形状のシャワーヘッドや、ボディ自体が肉薄に形成されたシャワーヘッド本体に用いると有効である。なお、当接部はシャワーヘッド本体の内周面側を「支持可能」であれば足り、予め支持する当接部に限らず、シャワーヘッド本体外側から力が加わり本体が撓もうとする場合に初めて支持し、それ以上大きく撓まないようにする当接部も含む。また、シャワーヘッド本体の「内周面側」を支持可能であれば足り、内周面に直接当接して支持する場合の他、何らかの部材を介して支持する態様も含む。
【発明の効果】
【００１９】
本発明の請求項１及び請求項２のシャワーヘッドの内部流路部材の固定構造は前述のように構成され、内部流路部材の軸心回り方向の位置決めをなすことができるので、内部流路部材の先端側接続部に接続される別部材の取付作業を容易にすることができる。
【発明を実施するための最良の形態】
【００２０】
次に、本発明のシャワーヘッドの内部流路部材の固定構造の実施の形態を図を参考にして詳細に説明する。図１及び図２に示すのは、シャワーヘッド１の「内部流路部材」の一例であるパイプ３０をシャワーヘッド１の本体２に固定するための固定構造Ｘである。シャワーヘッド１全体は、ヘッド部４がやや屈曲形成された縦長の有底筒状に形成されており、その断面が長円形状に形成されて全体として扁平な形状に形成されている。シャワーヘッド１には、シャワーフェイスカバー８０と、シャワーフェイス７０と、インナー５０と、シャワーヘッド１の本体２とが備えられている。また、本体２の把持部３内には、本体２のヘッド部４方向に湯水を供給するためのパイプ３０と、このパイプ３０を把持部３基端側内に収容固定するジョイント１０が備えられている。そしてこのジョイント１０の基端側の接続口１８には、図示しないシャワーホースが接続されて、シャワーヘッド１に湯水が供給される。
【００２１】
ジョイント１０は、断面が長円形状の円筒状に形成されており、シャワーヘッド１の本体２の把持部３内に摺接嵌合する形状に形成され、把持部３内に収容保持可能に設けられている。ジョイント１０の基端側にはジョイント１０の本体外径よりも小径に形成された周溝１２が設けられている。また、先端側の端部には、後述するパイプ３０の突条４０が嵌合する凹部１３が設けられている。この凹部１３は本発明の「被嵌合部」の一例である。凹部１３は、ジョイント１０の断面短手方向の対向する位置に二つ、それぞれジョイント１０の軸心方向に沿って所定の長さに凹設されている。
【００２２】
また、図２に示すように、周溝１２が設けられた部位よりもやや先端側のジョイント１０内部には、パイプ３０の基端側接続部３２が挿嵌接続可能に設けられた接続口１４が形成されている。接続口１４の奥側内周面には内方向に突設された突起１６が設けられており、パイプ３０が接続口１４に挿嵌接続される際には、パイプ３０基端側の端面がこの突起１６に係止されることにより、接続口１４の挿通方向におけるパイプ３０の位置決めがなされる。また、周溝１２よりも基端側のジョイント１０の外周面には、係止突条１７が突設されており、ジョイント１０が把持部３内に挿嵌される際に、係止突条１７が把持部３基端側の段部８に係止されることにより、把持部３の軸心方向におけるジョイント１０の位置決めがなされる。また、ジョイント１０の基端側には、図示しないシャワーホースの接続金具が固定可能に設けられた接続口１８が設けられている。
【００２３】
パイプ３０は、本発明に言う「内部流路部材」の一例であり、把持部３に対して屈曲形成されたヘッド部４内に取り付けられるインナー５０の接続部５２の挿嵌方向に沿うように、先端に、屈曲形成された屈曲部３４を備えた筒状の全体形状に形成されている。また、基端側接続部３２外周面には、前述したジョイント１０の接続口１４との水密を図るシール部材３３が、先端側接続部３５外周面には、インナー５０の接続部５２との水密を図るシール部材３３がそれぞれ取り付けられている。また、屈曲部３４の基端外周面には、屈曲部３４が挿嵌接続される接続部５２に対して、挿嵌方向における位置決めを行うために、接続部５２端面に当接可能な突条３６が周設されている。
【００２４】
また、パイプ３０のストレート部３８のほぼ中央付近外周面の上下には、前述したジョイント１０の凹部１３と嵌合する突条４０が、ストレート部３８の軸心方向に沿ってそれぞれ突設されている。この突条４０は本発明の「嵌合部」の一例であるとともに「当接部」の一例でもある。突条４０は、細長の矩形の板状に形成されており、その長さは、図２及び図３に示すように、パイプ３０をジョイント１０の接続口１４に対して奥端まで挿嵌接続した際に、基端側接続部３２側に、凹部１３の奥端との間に僅かな隙間Ｙが生じるとともに、屈曲部３４側に、凹部１３から僅かに突出するように設けられている。また、その高さは、図４に示すように、二つの対向する突条４０の先端がジョイント１０の短手方向における外周面の距離と同じになるとともに、また同時に、シャワーヘッド１の把持部３内周面間の距離と同じになるように設けられており、把持部３内周面に当接して把持部３を支持し、把持部３を、その短手方向において補強することができるように設けられている。
【００２５】
そして、図３及び図４に示すように、ジョイント１０及びパイプ３０は、前述したように、パイプ３０の基端側接続部３２がジョイント１０の接続口１４に挿嵌接続されるとともに、突条４０が凹部１３に嵌合されることによりジョイント１０に対するパイプ３０の軸心周り方向の位置決めがなされつつ、固定される。
【００２６】
図１に示すように、このようにして固定されたパイプ３０とジョイント１０は、パイプ３０先端側よりシャワーヘッド１の把持部３基端側の開口部７から把持部３内に挿嵌される。ジョイント１０は、開口部７奥側に収容保持されるが、この際に、把持部３の取付孔５よりブッシュ１１が周溝１２に嵌合取り付けされて、把持部３に対するジョイント１０の抜け止めを行う。
【００２７】
また、シャワーヘッド１の本体２の先端側のヘッド部４は、把持部３に対して若干屈曲形成されているが、このヘッド部４の屈曲形成された部位の内側面には、インナー５０などが収容される収容室６が開口されており、インナー５０などは、この収容室６に収容される。
【００２８】
次いで、図１を参照して、インナー５０、シャワーフェイス７０及びシャワーフェイスカバー８０について説明する。インナー５０は、横断面がほぼ長円形状の円筒状の全体形状に形成されており、その下面には、前述したパイプ３０の先端側が挿嵌接続される接続部５２が突設されている。インナー５０は、「内部流路部材」の一例であるパイプ３０の先端側接続部に取り付けられる「別部材」の一例である。また、接続部５２寄りのインナー５０の軸心周り外周面には、インナー５０に被せられるシャワーフェイス７０との水密を図るためのシール部材５４が装着されている。また、インナー５０の側面には、ストレーナ５６を取付固定するために僅かに凹設された矩形状の凹部５８が形成されている。そして、この凹部５８の中央付近に開口部６０が開設されている。開口部６０は、インナー５０外側に向けて、縦長のほぼ矩形形状に開設されている。図２に示すように、この開口部６０は、パイプ３０の先端側接続部３５が接続される接続部５２と流入室６２を介して連通されている。
【００２９】
シャワーフェイス７０は、横断面がほぼ長円形状の円筒状の全体形状に形成されており、内部にインナー５０を収容保持可能に、インナー５０が底部開口部７２から挿嵌可能な有底円筒状に形成されている。シャワーフェイス７０の正面側には長円形状のフェイス部７４が正面側に突設されている。このフェイス部７４には６５個の散水孔７６がほぼ均一に配設されており、散水孔７６全体も細長のほぼ長円形状に配設されている。また、このフェイス部７４を挟んだシャワーフェイス７０の本体の左右には、上下にそれぞれ、後述するシャワーフェイスカバー８０の係止孔８２に係止する係止突起７８が設けられている。そして、ストレーナ５６を取り付けられたインナー５０がシャワーフェイス７０に挿嵌され、これらが一体となったものが、ヘッド部４の開口部７から収容室６内へ収容されつつ、インナー５０の接続部５２内にパイプ３０の先端部が挿嵌接続される。
【００３０】
シャワーフェイスカバー８０は、横断面がほぼ長円形状の円筒を縦方向に半割した全体形状に形成されており、前述したシャワーフェイス７０のフェイス部７４側に被覆可能な形状に設けられている。シャワーフェイスカバー８０の正面側中央には、フェイス部７４が嵌合かつ露呈可能に開設された長円形状の開口部８４が形成されている。
【００３１】
また、シャワーフェイスカバー８０の左右側部には、上下にそれぞれ、前述したシャワーフェイス７０の係止突起７８が係止される係止孔８２が設けられている。また、シャワーフェイスカバー８０の上端面からシャワーフェイスカバー８０後方に向かって舌片８６が突設されており、この舌片８６に、シャワーヘッド１の収容室６の開口部７付近の上部壁面から突設される係止突起９が係止される係止孔８８が開設されている。また、シャワーフェイスカバー８０の下端内側には、収容室６の開口部７下部に係止される係止突起９０が二つ突設されている。シャワーフェイスカバー８０は、係止孔８２がシャワーフェイス７０に係止され、係止孔８８及び係止突起９０がヘッド部４に係止されることにより、シャワーヘッド１に固定されている。
【００３２】
このように、パイプ３０は、ジョイント１０との組付の際に、突条４０と凹部１３とがその軸心回り方向において嵌合し、ジョイント１０に対して、すなわちジョイント１０が固定される把持部３に対して所定の向きに位置決めされることになるので、インナー５０が接続される屈曲部３４先端の位置が把持部３に対して所定の位置に定められ、把持部３先端のヘッド部４の収容室６内に収容されるインナー５０に対して適切に位置決めがなされ、よって、インナー５０の接続部５２にパイプ３０の先端側接続部３２を挿嵌する接続作業が容易に行えることになる。
【００３３】
また、パイプ３０は、ジョイント１０に対して、ジョイント１０の断面短手方向（対向する凹部１３間の方向）においては、突条４０が把持部３内周面に当接することにより、突条４０が対向する方向への揺動が規制され、一方、ジョイント１０の断面長手方向においては、突条４０が凹部１３に嵌合することにより、突条４０が対向する方向に直交する方向への揺動が規制される。よって、この点からも、インナー５０の接続部５２の挿嵌接続作業が容易に行えることになる。また、ジョイント１０との間にシール部材３３が介在されてパイプ３０とジョイント１０とが挿嵌接続されている場合、シール部材３３を介していることにより、ジョイント１０に対するパイプの揺動が顕著になる傾向にあるので、このような場合の揺動防止に特に有効である。
【００３４】
また同時に、突条４０が把持部３内周面に当接して把持部３を支持し、把持部３を、その短手方向において補強する。特に、パイプ３０は、把持部３及びジョイント１０に対して小径に形成され、断面もほぼ真円状に形成されているので、把持部３の短手方向において十分な強度を有するので、断面長円形状に形成された把持部３をその短手方向において補強するのに有効である。また、本例では、特に、突条４０は把持部３の長手方向のほぼ中央に位置するようにパイプ３０に設けられており、把持部３の長手方向のほぼ中央において把持部３を支持することにより、把持部３全体に渡って把持部３表面の撓みを有効に防止することが可能である。
【００３５】
本発明は前述した実施の形態に限られるものではなく、本発明の趣旨の範囲内で種々の変更が可能である。例えば、上記前述した実施の形態では、パイプ３０に突条４０を、ジョイント１０に凹部１３を設けることとしているが、図５に示すように、本発明にいう「嵌合部」「被嵌合部」を逆にして、パイプ３０側に凹部１００を設け、ジョイント１０側に突条１０２を設けるようにしても良い。
【００３６】
また、突条４０を二つに限らず、図６に示すように、四つの突条４０など二つ以外の数に設けても良い。この例では、突条４０はほぼ等間隔に設けられており、パイプ３０の上下左右において、シャワーヘッド１の本体２の上下左右を補強することができる。前述したシャワーヘッド１のように、把持部３の断面短手方向の補強のみが必要な場合に限らず、断面がほぼ真円形状に形成されているシャワーヘッドであるが、肉薄に形成されているために、断面の上下左右において補強が必要とされるようなシャワーヘッドに好適である。
【００３７】
また、図７に示すように、屈曲部を設けないパイプ１０４に適用することも可能である。また、本例では、本発明にいう「嵌合部」「被嵌合部」は備えてはいないが、シャワーヘッド１の本体２の内周面に当接する突条１０６がパイプ１０４の外周面に設けられており、シャワーヘッド１の本体２を補強することが可能である。このような場合においても、突条１０６が把持部３内周面に直接当接されるように設けることに限られず、ジョイント１０内周面に当接することにより、ジョイント１０を介して把持部３内周面を補強することとしても良い。また、このような場合、特に突条１０６の幅を広く設けておくことにより、シャワーヘッド１の本体２を安定的に支持することができ好適である。
【図面の簡単な説明】
【００３８】
【図１】本発明の内部流路部材の固定構造を用いたシャワーヘッドの分解斜視図である。
【図２】図１のシャワーヘッドの側面視縦断面図である。
【図３】パイプとジョイントの斜視図である。
【図４】図２のＡ−Ａ’線断面図である。
【図５】別の内部流路部材の固定構造を用いたパイプとジョイントの斜視図である。
【図６】さらに別の内部流路部材の固定構造を用いたパイプとジョイントの斜視図である。
【図７】さらに別の内部流路部材の固定構造を用いたパイプとジョイントの斜視図である。
【図８】従来の内部流路部材の固定構造を用いたシャワーヘッドの側面視縦断面図である。
【図９】図８のシャワーヘッドの一部を示す分解斜視図である。
【符号の説明】
【００３９】
１；シャワーヘッド、２；本体、３；把持部、４；ヘッド部、５；取付孔、６；収容室、７；開口部、８；段部、９；係止突起、１０；ジョイント、１１；ブッシュ、１２；周溝、１３；凹部、１４；接続口、１６；突起、１７；係止突条、１８；接続口、３０；パイプ、３２；基端側接続部、３３；シール部材、３４；屈曲部、３５；先端側接続部、３６；突条、３８；ストレート部、４０；突条、５０；インナー、５２；接続部、５４；シール部材、５６；ストレーナ、５８；凹部、６０；開口部、６２；流入室、７０；シャワーフェイス、７２；底部開口部、７４；フェイス部、７６；散水孔、７８；係止突起、８０；シャワーフェイスカバー、８２；係止孔、８４；開口部、８６；舌片、８８；係止孔、９０；係止突起、１００；凹部、１０２；突条、１０４；パイプ、１０６；突条、Ｘ；固定構造、Ｙ；隙間。
【図１】
0004773875.tif 000002
【図２】
0004773875.tif 000003
【図３】
0004773875.tif 000004
【図４】
0004773875.tif 000005
【図５】
0004773875.tif 000006
【図６】
0004773875.tif 000007
【図７】
0004773875.tif 000008
【図８】
0004773875.tif 000009
【図９】
0004773875.tif 000010